(57)【要約】      （修正有）【課題】包装物内に入れられた内容物が包装物の開口を開け外部へ脱落することを避けられること、又は有効に低減する。【解決手段】面ファスナー１００は、第１表面を有する第１基材と、第１表面と対面する第２表面を有する第２基材と、第１固定端部及び第２固定端部で、第１表面及び第２表面のそれぞれに固定された第１、第２ストッパ片と、第１固定端部及び第２固定端部と対面する第１及び第２自由端部に設けられた複数の第１、第２接合ユニットと、を備える。第１、第２固定端部は、第１、第２自由端部よりも包装物の開口８０１に近接し、これらの第１、第２自由端部は、第１基材と第２基材との間に位置している。複数の第１、第２接合ユニットは、縦方向において間隔を隔てて整列し、且つ該縦方向に直交する横方向において交錯に配列されている。第２接合ユニットは、包装物の開口を閉じるために第１接合ユニットと互いに接合可能に配置されている。【選択図】図３
2018038777.tif 000002
【特許請求の範囲】
【請求項１】
包装物の開口を開閉するための面ファスナーであって、
第１表面を有する第１基材と、
前記第１表面と対面する第２表面を有する第２基材と、
前記第１表面に固定された第１固定端部と、該第１固定端部と対向し且つ前記第１表面に接続されていない第１自由端部とを有し、前記第１表面に設けられた第１ストッパ片と、
前記第２表面に固定された第２固定端部と、該第２固定端部と対向し且つ前記第２表面に接続されていない第２自由端部とを有し、前記第２表面に設けられた第２ストッパ片と、
前記第１自由端部に設けられ且つ前記第１ストッパ片と一体的に成形されている複数の第１接合ユニットと、
前記第２自由端部に設けられ且つ前記第２ストッパ片と一体的に成形されている複数の第２接合ユニットと、
を備え、
前記第１固定端部は、前記第１自由端部よりも前記包装物の前記開口に近接し、前記第１自由端部は、前記第１基材と前記第２基材との間に位置しており、
前記第２固定端部は、前記第２自由端部よりも前記包装物の前記開口に近接し、前記第２自由端部は、前記第１基材と前記第２基材との間に位置しており、
複数の前記第１接合ユニットは、縦方向において間隔を隔てて整列し、且つ該縦方向に直交する横方向において交錯に配列されており、
複数の前記第２接合ユニットは、縦方向において間隔を隔てて整列し、且つ前記横方向において交錯に配列されており、
これらの前記第２接合ユニットは、包装物の開口を閉じるために複数の前記第１接合ユニットと互いに接合可能に配置されていることを特徴とする、面ファスナー。
【請求項２】
複数の前記第１接合ユニットのそれぞれは、
前記第１基材から延伸する第１本体部と、該第１本体部から延伸し且つ第１方向へ湾曲する第１フック部とを有する第１フック体と、
前記第１基材から延伸する第２本体部と、該第２本体部から延伸し且つ第１方向とは反対方向である第２方向へ湾曲する第２フック部とを有する第２フック体と、を備え、
前記第２本体部は、前記第１本体部と前記横方向に隣接し、且つ当該第１本体部と一体的に成形されており、
前記第１本体部と前記第２本体部とは、縦方向において部分的に互いに重なっており、その重なり度合いは、複数の前記第２接合ユニットと複数の前記第１接合ユニットとの間に対する所望の接合強度により決められており、
複数の前記第２接合ユニットのそれぞれは、
前記第２基材から延伸する第３本体部と、該第３本体部から延伸し且つ第１方向へ湾曲する第３フック部とを有する第３フック体と、
前記第２基材から延伸する第４本体部と、該第４本体部から延伸し且つ第１方向とは反対方向である第２方向へ湾曲する第４フック部とを有する第４フック体と、を備え、
前記第４本体部は、前記第３本体部と前記横方向に隣接し、且つ当該第３本体部と一体的に成形されており、
前記第３本体部と前記第４本体部とは、縦方向において部分的に互いに重なっており、その重なり度合いは、複数の前記第２接合ユニットと複数の前記第１接合ユニットとの間に対する所望の接合強度により決められており、
複数の前記第２接合ユニットと複数の前記第１接合ユニットとが接合されると、前記第１フック部が前記第３フック部と噛み合い、前記第２フック部が前記第４フック部と噛み合うようになる、請求項１に記載の面ファスナー。
【請求項３】
前記横方向において隣接している２つの前記第１接合ユニットの間の横ピッチは、前記横方向における前記第１接合ユニットの横長さと等しく、または、それよりも小さく、
前記横方向において隣接している２つの前記第２接合ユニットの間の横ピッチは、前記横方向における前記第２接合ユニットの横長さと等しく、若しくはそれよりも小さい、請求項２に記載の面ファスナー。
【請求項４】
前記縦方向において隣接している２つの前記第１接合ユニットの間の縦ピッチは、前記縦方向における前記第１接合ユニットの縦長さよりも小さく、
前記縦方向において隣接している２つの前記第２接合ユニットの間の縦ピッチは、前記縦方向における前記第２接合ユニットの縦長さよりも小さい、請求項２に記載の面ファスナー。
【発明の詳細な説明】
【技術分野】
【０００１】
本発明は、包装物の開口を開閉するための面ファスナーに関し、特に包装物が傾倒した時に、包装物内に入れられた内容物が包装物の開口を開け外部へ脱落することを防止することができる面ファスナーに関する。
【背景技術】
【０００２】
従来、包装物（例えば、ジッパーバッグなど）に用いられる面ファスナーは、主に、包装物の開口付近に設け横方向に延伸するプラスチック製の凹凸状部材により包装物を開閉し、繰り返し使用が可能である。しかし、包装物を搬送中又は非故意に傾倒されたときに、該包装物内に入れられた内容物（特に一定の重量をもつ内容物）が、包装物の閉じた開口の面ファスナーに圧力をかけることで、該面ファスナーが開けられる可能性が生じ、開けられた場合、包装物内の内容物が外部へ漏れるおそれがある。
【０００３】
図１、図２は上記の問題点を解決するために提案された、包装物に用いられる面ファスナーを示す図である。
【０００４】
図１に示されるように、このような面ファスナーは、互いに対面する第１基材９１及び第２基材９２（包装物の開口縁に設けられた対向のシート材に該当）と、前記第２基材９２に固定されたストッパ片９３と、前記第１基材９１と前記ストッパ片９３のそれぞれに設けた接合ユニット９４、９５とを有する。前記第１基材９１と前記ストッパ片９３のそれぞれに設けた接合ユニット９４、９５は、包装物の開口９０に隣接し、且つ包装物の開口を閉じるように互いに接合可能に配置されている。
【０００５】
しかし、この種の面ファスナーには、包装物が傾倒した時に、包装物内に入れられた内容物が当該包装物の開口を開け外部へ脱落する問題を有効に解決していない。更に詳しく言うと、前記第２基材９２に設けられたストッパ片９３が、包装物内の内容物が包装物の開口を閉合するための接合ユニット９４、９５に対して掛けた圧力を分散することができるものの、包装物が長時間に傾倒し続けられた場合、又は内容物が比較的重たい場合になると、図２に示されるように、包装物内の内容物が接合ユニット９４、９５を開けることを避けられず（図２において矢印で示したように）、該内容物が包装物から脱落してしまう。
【０００６】
発明者らはこのような問題点をみて公知の面ファスナーの改良方案について鋭意に研究を重ねた結果、上記の公知の面ファスナーよりも優れたものを見だした。
【発明の概要】
【発明が解決しようとする課題】
【０００７】
そこで、本発明は、包装物の開口を開閉するための面ファスナーにおいて、包装物が傾倒した時に、包装物内に入れられた内容物が包装物の開口を開け外部へ脱落することを避けられること、又は有効に低減することを目的とする。
【０００８】
前記目的を達成するために、本発明の面ファスナーは、包装物の開口を開閉するための面ファスナーであって、第１基材と、第２基材と、第１ストッパ片と、第２ストッパ片と、複数の第１接合ユニットと、複数の第２接合ユニットとを有するものである。前記第１基材は、第１表面を有し、前記第２基材は、前記第１表面と対面する第２表面を有する。前記第１ストッパ片は、前記第１表面に設けられており、前記第１表面に固定された第１固定端部と、前記第１固定端部と対向し且つ前記第１表面と接続していない第１自由端部とを有する。前記第１固定端部は、前記第１自由端部よりも包装物の開口に近接しており、前記第１自由端部は、前記第１基材と前記第２基材との間に位置している。前記第２ストッパ片は、前記第２表面に設けられており、前記第２表面に固定された第２固定端部と、前記第２固定端部と対向し、且つ前記第２表面と接続していない第２自由端部とを有する。前記第２固定端部は、前記第２自由端部よりも包装物の開口に近接しており、前記第２自由端部は、前記第１基材と前記第２基材との間に位置している。複数の前記第１接合ユニット及び複数の前記第２接合ユニットはそれぞれ、前記第１自由端部と前記第２自由端部とに設置され、且つ前記第１ストッパ片及び前記第２ストッパと一体的に成形されている。複数の前記第１接合ユニット及び複数の前記第２接合ユニットはそれぞれ、縦方向において間隔を隔てて整列され、且つ縦方向と直交する横方向に交錯に配列されている。複数の前記第２接合ユニットが、包装物の開口を閉じるために複数の前記第１接合ユニットと互いに接合できるように配置されている。
【０００９】
上記の面ファスナーにおいては、好ましくは、それぞれの前記第１接合ユニットは、第１フック体と第２フック体とを有する。前記第１フック体は、前記第１基材から延伸する第１本体部と、前記第１本体部から延伸し且つ第１方向へ湾曲する第１フック部とを有する。前記第２フック体は、前記第１基材から延伸する第２本体部と、前記第２本体部から延伸し且つ第１方向とは反対方向である第２方向へ湾曲する第２フック部とを有する。前記第２本体部が、前記横方向において前記第１本体部と隣接し、且つ該第１本体部と一体的に形成されている。前記第１本体部と前記第２本体部は前記縦方向において少なくとも部分的に互いに重なっており、該重なり部分の度合いは、複数の前記第２接合ユニットと複数の前記第１接合ユニットとの間に対する所望の接合強度により決められる。また、本願の面ファスナーにおいては、それぞれの前記第２接合ユニットは、第３フック体と第４フック体とを有する。前記第３フック体は、前記第２基材から延伸する第３本体部と、前記第３本体部から延伸し且つ第１方向へ湾曲する第３フック部とを有する。前記第４フック体は、前記第２基材から延伸する第４本体部と、前記第４本体部から延伸し且つ第１方向とは反対方向である第２方向へ湾曲する第４フック部とを有する。前記第４本体部が、前記横方向において前記第３本体部と隣接し、且つ該第３本体部と一体的に形成されている。前記第３本体部と前記第４本体部は前記縦方向において少なくとも部分的に互いに重なっており、該重なり部分の度合いは、複数の前記第２接合ユニットと複数の前記第１接合ユニットとの間に対する所望の接合強度により決められる。複数の前記第２接合ユニットと複数の前記第１接合ユニットとが接合されると、前記第１フック部と前記第３フック部とが、前記第２フック部と前記第４フック部とが、噛み合うように配置される。
【００１０】
上記の面ファスナーにおいては、好ましくは、横方向に隣接している２つの前記第１接合ユニットの間の横ピッチは、横方向における前記第１接合ユニットの横長さと等しく、若しくはそれよりも小さい。また、横方向に隣接している２つの前記第２接合ユニットの間の横ピッチは、横方向における前記第２接合ユニットの横長さと等しく、若しくはそれよりも小さい。
【００１１】
上記の面ファスナーにおいては、好ましくは、縦方向に隣接している２つの前記第１接合ユニットの間の縦ピッチは、縦方向における前記第１接合ユニットの縦長さよりも小さい。また、縦方向に隣接している２つの前記第２接合ユニットの間の縦ピッチは、縦方向における前記第２接合ユニットの縦長さよりも小さい。
【００１２】
本発明のより詳細な説明及び優れた点については、以下の実施例の説明及び図面により明白になるだろう。
【図面の簡単な説明】
【００１３】
【図１】図１は、公知の面ファスナーの断面概略図である。
【図２】図２は、図１に示された公知の面ファスナーが、包装物内の内容物により開けられた状態を示す断面概略図である。
【図３】図３は、本発明に係る面ファスナーを用いたジッパーバッグの概略図である。
【図４】図４は、図３に示された面ファスナーを用いたジッパーバッグにおいて、Ｂ−Ｂ部分がＡ−Ａ線に沿って切断された概略斜視図である。
【図５】図５は、図３に示された面ファスナーを用いたジッパーバッグにおいて、Ｂ−Ｂ部分がＡ−Ａ線に沿って切断された断面概略図である。
【図６】図６は、図４の一部の概略斜視図であり、第１ストッパ片の第１自由端部に設けられた複数の第１接合ユニットの配置を示す。
【図７】図７は、本発明の面ファスナーが、ジッパーバッグ内の内容物からの圧力を受ける状態の断面概略図である。
【図８】図８は、本発明の面ファスナーにおける第１接合ユニットの部分概略斜視図である。
【図９】図９は、本発明の面ファスナーにおける第１接合ユニットの配置概略図である。
【発明を実施するための形態】
【００１４】
図３は、本発明に係る面ファスナーを用いたジッパーバッグ（包装物）８００の概略図である。図３に示されたように、ジッパーバッグ８００の開口８０１付近には、ジッパーバッグ８００の開口８０１を開閉するための面ファスナー１００が設けられている。
【００１５】
図３から図５を参照して、本発明の面ファスナー１００を説明する。
【００１６】
図４は、図３に示された面ファスナーを用いたジッパーバッグにおいて、Ｂ−Ｂ部分がＡ−Ａ線に沿って切断された概略斜視図であり、図５は、図３に示された面ファスナーを用いたジッパーバッグにおいて、Ｂ−Ｂ部分がＡ−Ａ線に沿って切断された断面概略図である。図４及び図５に示されたように、本発明の面ファスナー１００は、第１基材１０と、第２基材２０と、第１ストッパ片１１と、第２ストッパ片２１と、複数の第１接合ユニット１２と、複数の第２接合ユニット２２とを有する。
【００１７】
前記第１基材１０は、第１表面１０１を有し、前記第２基材２０は、第２表面２０１を有する。前記第１基材１０の前記第１表面１０１と前記第２基材２０の前記第２表面２０１とが対面している。本実施例では、前記第１基材１０及び前記第２基材２０は、図１に示されたジッパーバッグ８００における対向の両シート材に該当し、また前記第１表面１０１及び前記第２表面２０１がジッパーバッグ８００の内面に該当する。
【００１８】
前記第１ストッパ片１１が、前記第１表面１０１に設けられており、前記第２ストッパ片２１が、前記第２表面２０１に設けられている。前記第１ストッパ片１１は、前記第１表面１０１に固定された第１固定端部１１０と、前記第１固定端部１１０と対向し且つ前記第１表面１０１と接続していない第１自由端部１１５とを有する。前記第１固定端部１１０は、前記第１自由端部１１５よりもジッパーバッグ８００の開口８０１に近接している。前記第２ストッパ片２１は、前記第２表面２０１に固定された第２固定端部２１０と、前記第２固定端部２１０と対向し、且つ前記第２表面２０１と接続していない第２自由端部２１５とを有する。前記第２固定端部２１０は、前記第２自由端部２１５よりもジッパーバッグ８００の開口８０１に近接している。前記第１自由端部１１５及び前記第２自由端部２１５は、前記第１基材１０と前記第２基材２０との間に位置している。
【００１９】
複数の前記第１接合ユニット１２は、前記第１ストッパ片１１の第１自由端部１１５に設けられ、且つ該第１ストッパ片１１と一体的に成形されている。複数の前記第２接合ユニット２２は、前記第２ストッパ片２１の第２自由端部２１５に設けられ、且つ該第２ストッパ片２１と一体的に成形されている。ジッパーバッグ８００の開口８０１を閉じるために、複数の前記第１接合ユニット１２及び複数の前記第２接合ユニット２２が、互いに接合し得るように配置されている。複数の前記第１接合ユニット１２及び複数の前記第２接合ユニット２２の詳細な内容については、後述する。
【００２０】
図６は、図４の一部概略斜視図であり、前記第１ストッパ片１１の前記第１自由端部１１５に設けられた複数の第１接合ユニット１２の配置を示す。ここで、本発明の面ファスナーにおける第２基材、第２ストッパ片、及び複数の第２接合ユニットのそれぞれは第１基材、第１ストッパ片、及び複数の第１接合ユニットとほぼ同じであるため、説明の便宜上のため、図６には、第１基材１０、前記第１基材１０の前記第１表面１０１に設けられた前記第１ストッパ片１１、及び前記第１ストッパ片１１の前記第１自由端部１１５に設けられ且つ該第１ストッパ片１１と一体的に成形されている複数の前記第１接合ユニット１２のみを記載し、第２基材、第２ストッパ片、及び複数の第２接合ユニットを省略する。
【００２１】
図６に示されたように、前記第１ストッパ片１１の前記第１自由端部１１５に設けられ且つ該第１ストッパ片１１と一体的に成形されている複数の前記第１接合ユニット１２は、縦方向ＭＤにおいて間隔を隔てて整列し、且つ、横方向ＣＤに交錯に配列されている。なお、図６に示されていないが、これと同様に、前記第２ストッパ片２１の前記第２自由端部２１５に設けられ且つ該第２ストッパ片２１と一体的に成形されている複数の前記第２接合ユニット２２は、縦方向ＭＤにおいて間隔を隔てて整列し、且つ、横方向ＣＤに交錯に配列されている。
【００２２】
図７は、本発明の面ファスナー１００が、ジッパーバッグ内の内容物からの圧力を受ける状態の断面概略図である。
【００２３】
図７に示されたように、本発明の面ファスナー１００を備え内容物を入れられたジッパーバッグが傾倒した時、ジッパーバッグ内の内容物が開口８０１側へ移動し、その自身の重量により、ジッパーバッグの開口８０１を閉じるための面ファスナー１００に対し圧力をかける。しかし、本発明の面ファスナー１００では、前記第１ストッパ片１１の前記第１自由端部１１５に設けられた前記第１接合ユニット１２と前記第２ストッパ片２１の前記第２自由端部２１５に設けられた前記第２接合ユニット２２との接合により開口８０１を閉じるため、ジッパーバッグが傾倒すると、ジッパーバッグ内の内容物が前記第１ストッパ片１１の前記第１自由端部１１５と前記第１基材１０との間の空間、及び前記第２ストッパ片２１の前記第２自由端部２１５と前記第２基材２０との間の空間に入り、これにより、前記第１自由端部１１５と前記第２自由端部２１５とが互いに圧迫し合うようになり（図７の矢印に示されるように）、前記第１自由端部１１５に設けた前記第１接合ユニット１２と前記第２自由端部２１５に設けた前記第２接合ユニット２２とがより強く接合される。よって、前記第１自由端部１１５に設けた前記第１接合ユニット１２と前記第２自由端部２１５に設けた前記第２接合ユニット２２とは、前記第１ストッパ片１１の前記第１自由端部１１５と前記第１基材１０との間の空間、及び前記第２ストッパ片２１の前記第２自由端部２１５と前記第２基材２０との間の空間に入った内容物の圧迫により、互いにより強く接合されるため、ジッパーバッグ内の内容物からの圧力によっても分離されにくくなり、開口８０１が簡単に開けられることも無い。
【００２４】
このように、本発明の面ファスナーによれば、第１自由端部に設けた第１接合ユニットと第２自由端部に設けた第２接合ユニットとにより、本発明の面ファスナーを備え内容物を入れられたジッパーバッグが傾倒したとき、該ジッパーバッグの開口が、該内容物からの圧力によっても開けられ難くなり、内容物がジッパーバッグ内から脱落してしまうことを防止することができる。
【００２５】
また、本発明の面ファスナーの第１接合ユニットと第２接合ユニットのそれぞれは間隔を隔てて整列している（即ち、隣接する２つの第１接合ユニットの間、隣接する２つの第２接合ユニットの間に隙間が存在している）ため、本発明の面ファスナーを備えたジッパーバッグは、ジッパーバッグ内の残留気体を排出する機能を有する。これにより、ジッパーバッグ内に入れようとする内容物が、湿気により軟化しやすいもの（例えば、クッキー、餌など）である場合、使用者は、第１接合ユニットと第２接合ユニットとを接合させた後、ジッパーバッグを圧迫することで、ジッパーバッグ内の空気を、第１接合ユニット及び第２接合ユニットの間の隙間を介して排出することができ、ジッパーバッグ内の空気により内容物が湿たり軟化したり変質したりすることを防止することができる。更に、本発明の面ファスナーにおける第１接合ユニット及び第２接合ユニットの間の隙間が存在しているが、これらの隙間は分散しており且つ小さいため、ジッパーバッグ外の空気がジッパーバッグ内へ逆流することもない。これに対して、開口が完全に密閉する従来のジッパーバッグでは、使用者は、一般、このジッパーバッグを使用するときに、該ジッパーバッグの開口を閉じる前にその中の空気を排出しようとしているが、実際にこのように操作すると、ジッパーバッグの開口を最小限に開けた（空気を排出したり、該空気が逆流するのを防止したりするための）状態で圧迫を行うため、該操作は難しく、空気を有効に排出することができない。
【００２６】
続いて、図８及び図９を参照して本発明の面ファスナーにおける前記第１接合ユニット１２の好ましい例を説明する。なお、本発明の面ファスナーにおける前記第１接合ユニット１２と前記第２接合ユニット２２とは、ほぼ同じ構造をもち、且つ同じ方式で配置されているため、図８及び図９では、第１接合ユニット１２のみを示して説明する。そして、第２接合ユニット２２は文字のみで説明する。
【００２７】
図８に示されたように、本発明の面ファスナーによる各第１接合ユニット１２は、第１フック体１２１と第２フック体１２６とを有する。前記第１フック体１２１は、前記第１基材１０の前記第１自由端部１１５から延伸する第１本体部１２２と、前記第１本体部１２２から延伸し、第１方向へ湾曲する第１フック部１２３とを有する。また、前記第２フック体１２６は、前記第１基材１０の前記第１自由端部１１５から延伸する第２本体部１２７と、前記第２本体部１２７から延伸し、第１方向とは反対方向である第２方向へ湾曲する第２フック部１２８とを有する。そして、前記第２本体部１２７は、横方向ＣＤにおいて前記第１本体部１２２と隣接し且つ該第１本体部１２２と一体的に成形されている。
【００２８】
図８を参照して説明した、前記第１フック体１２１と前記第２フック体１２６とを有する前記第１接合ユニット１２と同様に、本発明の面ファスナーにおける第２接合ユニットは第３フック体と第４フック体とを有する。前記第２フック体１２６は、前記第２基材の前記第２自由端部から延伸する第３本体部と、前記第３本体部から延伸し、第１方向へ湾曲する第３フック部とを有する。また、前記第４フック体は、前記第２基材の前記第２自由端部から延伸する第４本体部と、前記第４本体部から延伸し、第１方向とは反対方向である第２方向へ湾曲する第４フック部とを有する。そして、前記第４本体部は、横方向において前記第３本体部と隣接し且つ該第３本体部と一体的に成形されている。
【００２９】
本発明の面ファスナーにおいては、前記第１接合ユニットと前記第２接合ユニットとが接合されると、前記第１接合ユニットの前記第１フック部が前記第２接合ユニットの前記第３フック部と噛み合い、また該第１接合ユニットの前記第２フック部が前記第２接合ユニットの前記第４フック部と噛み合うようになる。これにより、互いに接合された複数の前記第１接合ユニットと複数の前記第２接合ユニットとによって、本発明の面ファスナーを用いたジッパーバッグ８００の開口８０１（図３）を閉じることができる。
【００３０】
また、図９に示されたように、各第１接合ユニット１２の前記第１本体部１２２と前記第２本体部１２７とが前記縦方向ＭＤにおいて互いに重なり合うように配置されており、その重なり度合いは、前記第１接合ユニット１２と前記第２接合ユニット２２との間に対する所望の接合強度により決められている。該図９では、各第１接合ユニット１２の前記第１本体部１２２と前記第２本体部１２７とは、前記縦方向ＭＤにおいて完全に互いに重なり合うように配置されているが、本発明の面ファスナーはこれに限られていない。例えば、前記第１接合ユニット１２と前記第２接合ユニット２２との間に対する所望の接合強度に応じて、前記第１本体部と前記第２本体部とが縦方向において部分的に重なっているように配置されていてもよい。即ち、前記第１本体部と前記第２本体部とのそれぞれが縦方向において互いに反対方向へややずらしているように配置されてもよい。この場合、縦方向において隣接している２つの接合ユニットの間のピッチを同じように保持することにより、同じ面積範囲内で、縦方向においてややずらしている第１本体部と第２本体部との接合ユニットの数は、縦方向において完全に重なる第１本体部と第２本体部との接合ユニットの数よりも少ないようになる。これにより、縦方向においてややずらしている第１本体部と第２本体部との接合ユニットによって得られる接合強度は、縦方向において完全に重なる第１本体部と第２本体部との接合ユニットの接合強度よりも小さい。
【００３１】
従って、本発明の面ファスナーを備えたジッパーバッグは、その開口に必要な接合ユニットに基づいて、各接合ユニット（第１接合ユニット／第２接合ユニット）の両本体部（第１本体部と第２本体部／第３本体部と第４本体部）の間が縦方向において互いに重なる度合いを設計することができる。
【００３２】
また、図９に戻して説明すると、本発明の面ファスナーでは、前記縦方向ＭＤにおいて隣接している２つの前記第１接合ユニット１２の間の縦ピッチＰ１は、前記縦方向ＭＤにおける前記第１接合ユニット１２の縦長さＬ１よりも小さいように配置されている。また、前記横方向ＣＤにおいて隣接している２つの前記第１接合ユニット１２の間の横ピッチＰ２は、前記横方向ＣＤにおける前記第１接合ユニット１２の横長さＬ２よりも小さいように配置されている。
なお、図９では、横方向ＣＤにおいて隣接している２つの第１接合ユニット１２の間のける前記横ピッチＰ２は、前記横方向ＣＤにおける前記第１接合ユニット１２の前記横長さＬ２よりも小さいように設定されているが、実質上、面ファスナーへの所望の接合強度に応じて、横方向ＣＤにおいて隣接している２つの第１接合ユニット１２の間のける前記横ピッチＰ２を、前記横方向ＣＤにおける前記第１接合ユニット１２の前記横長さＬ２と同じように設定してもよい。
【００３３】
上記のように、本発明の面ファスナーを図３に示されたジッパーバッグに応用することを例として説明したが、ジッパーバッグに限らず、本発明の面ファスナーを、他の包装物にも応用することができる。
【００３４】
上記のように、本発明のいくつかの実施形態を説明したが、上記の実施例は、本発明を実施するための好ましい実施例であって、本発明を限定するものではない。本発明の技術思想から逸脱しない限り、本発明を変更、変化させることが可能であり、これらの変化、変更も当然、本発明の範囲内に含まれていることは言うまでもない。
【符号の説明】
【００３５】
１０      第１基材
１１      第１ストッパ片
１２      第１接合ユニット
２０      第２基材
２１      第２ストッパ片
２２      第２接合ユニット
９０      開口
９１      第１基材
９２      第２基材
９３      ストッパ片
９４、９５      接合ユニット
１００      面ファスナー
１０１      第１表面
１１０      第１固定端部
１１５      第１自由端部
１２１      第１フック体
１２２      第１本体部
１２３      第１フック部
１２６      第２フック体
１２７      第２本体部
１２８      第２フック部
２０１      第２表面
２１０      第２固定端部
２１５      第２自由端部
８００      ジッパーバッグ
８０１      開口
ＣＤ      横方向
ＭＤ      縦方向
Ｌ１      縦長さ
Ｌ２      横長さ
Ｐ１      縦ピッチ
Ｐ２      横ピッチ
【図１】
2018038777.tif 000003
【図２】
2018038777.tif 000004
【図３】
2018038777.tif 000005
【図４】
2018038777.tif 000006
【図５】
2018038777.tif 000007
【図６】
2018038777.tif 000008
【図７】
2018038777.tif 000009
【図８】
2018038777.tif 000010
【図９】
2018038777.tif 000011